(57)【特許請求の範囲】
【請求項１】
チャイルドシート本体の円弧状底面を受台の円弧状面に摺動自在に配設し、前記受台の前記チャイルドシート本体の移動域に複数個の孔をそれぞれ２列に平行に形成するとともに、前方から後方に向かって上りスロープとなるカム面を上部に備えたカムブロックを前記チャイルドシート本体に摺動自在に配設し、前記カムブロックの前端をリンクロッドを介して前記チャイルドシート本体の前方外部に配設したレバーに連係させるとともに前記カムブロック後端を第１スプリングを介して前記シート本体に連係させて前記カムブロックを常時後方へ付勢しておき、コ字状に形成されたピンを前記カムブロックの前記カム面を跨ぐようにして配置するとともに前記ピンを第２スプリングによって前記孔方向に付勢することにより、
前記レバーを引くことによって前記カムブロックが前に移動し、前記ピンが前記カム面の上りスロープに乗り上げることで前記受台の孔から引き抜かれて、前記チャイルドシート本体が摺動可能となり、
前記チャイルドシート本体を摺動させて前記受台に対して所望の傾斜状態となったら前記レバーを開放すると前記カムブロックが前記スプリングの付勢力によって元の状態に復帰し、前記ピンの先端が前記受台の孔に合致するまで前記受台の上面に突き当たった状態に維持され、この状態で前記チャイルドシート本体をさらに摺動させて前記ピンの先端が前記受台の孔に合致すると前記第２スプリングの付勢力によってその孔に嵌入して前記チャイルドシート本体がそこに位置決めされることを特徴とするリクライニング式チャイルドシート。
【発明の詳細な説明】
【０００１】
【発明の属する技術分野】
本発明は、リクライニング式チャイルドシートに関するもので、詳しくはチャイルドシート本体の位置決め装置に関するものである。
【０００２】
【従来の技術】
図５は、リクライニング式チャイルドシートを概念的に示している。このようなチャイルドシート１は、乳幼児を収容するチャイルドシート本体（以下、シート本体という）２と、このシート本体２を支持し、車両シートにシートベルト等によって固定される受台３とによって構成されている。そして、このようなチャイルドシート１では、シート本体２は底面の一部に円弧状底面２ａを有し、また受台３にもシート本体２の円弧状底面２ａに対応する円弧状面３ａを有し、シート本体２の円弧状底面２ａは、受台３の円弧状面３ａ上を摺動する。
さらに、このようなチャイルドシート１では、シート本体２の底面２ａに孔４を形成し、該孔４にピン５を摺動自在に嵌挿させるとともに、シート本体２の前部壁２ｂ等にレバー６を配設している。そして、ピン５はスプリング７によって外方、即ち孔４から突出する方向へ付勢され、またワイヤ８によってレバー６に連結されている。一方、受台３の円弧状面３ａには、複数個の孔９が形成されている。
【０００３】
そして、このようなチャイルドシート１では、ピン５が受台３の孔９の一つに嵌入して、シート本体２の位置決めが図られる。
シート本体２の傾斜状態を変更させる場合には、レバー６を操作し、ワイヤ８を介してピン５を受台３の孔９から引き抜き、その状態でシート本体２を移動させて適宜な傾斜状態にし、そこでレバー６を開放する。すると、ピン５はスプリング７の付勢力によって、選択された新たな孔９に嵌入し、シート本体２はその位置で固定される。
【０００４】
【発明が解決しようとする課題】
ところで、上記した従来のリクライニング式チャイルドシート１では、ピン５をワイヤ８を介してレバー６に連結しているため、長期にわたって繰り返し使用すると、ワイヤ８が伸びたりして、レバー６の操作力を忠実に伝達することができなくなる虞れがある。
【０００５】
そこで、本発明は上記問題点に鑑みてなされたものであり、その目的は、長期にわたって係止動作が保障されるリクライニング式チャイルドシートを提供することにある。
【０００６】
【課題を解決するための手段】
上記目的を達成するため、本発明のリクライニング式チャイルドシートでは、チャイルドシート本体の円弧状底面を受台の円弧状面に摺動自在に配設し、前記受台の前記チャイルドシート本体の移動域に複数個の孔をそれぞれ２列に平行に形成するとともに、前方から後方に向かって上りスロープとなるカム面を上部に備えたカムブロックを前記チャイルドシート本体に摺動自在に配設し、前記カムブロックの前端をリンクロッドを介して前記チャイルドシート本体の前方外部に配設したレバーに連係させるとともに前記カムブロック後端を第１スプリングを介して前記シート本体に連係させて前記カムブロックを常時後方へ付勢しておき、コ字状に形成されたピンを前記カムブロックの前記カム面を跨ぐようにして配置するとともに前記ピンを第２スプリングによって前記孔方向に付勢することにより、
前記レバーを引くことによって前記カムブロックが前に移動し、前記ピンが前記カム面の上りスロープに乗り上げることで前記受台の孔から引き抜かれて、前記チャイルドシート本体が摺動可能となり、
前記チャイルドシート本体を摺動させて前記受台に対して所望の傾斜状態となったら前記レバーを開放すると前記カムブロックが前記スプリングの付勢力によって元の状態に復帰し、前記ピンの先端が前記受台の孔に合致するまで前記受台の上面に突き当たった状態に維持され、この状態で前記チャイルドシート本体をさらに摺動させて前記ピンの先端が前記受台の孔に合致すると前記第２スプリングの付勢力によってその孔に嵌入して前記チャイルドシート本体がそこに位置決めされることを特徴としている。
【０００７】
この発明のリクライニング式チャイルドシートによれば、レバーの操作力がリンクロッドを介してカムブロックに伝達され、それによってカムブロックを摺動させる。そして、カムブロックが移動されると、そのカム面によってピンがチャイルドシート本体内に退避される。
【０００８】
【発明の実施の形態】
以下、添付図面に基づいて本発明のリクライニング式チャイルドシートを説明する。
【０００９】
図１は本発明の一実施の形態に係るリクライニング式チャイルドシートにおけるチャイルドシート本体と受台との係合部を示した断面図である。また、図２は本発明の一実施の形態に係るリクライニング式チャイルドシートにおける位置決め装置を概念的に示した斜視図であり、図３はその位置決め装置のロック状態を示した断面図，図４はその位置決め装置の非ロック状態を示した断面図である。
【００１０】
このチャイルドシート１０では、従来のリクライニング式チャイルドシートと同様に、チャイルドシート本体（以下、シート本体という）１１が受台１２に対して摺動自在に設置されている。
このチャイルドシート１０では、受台１２の中央部の底壁に、図１に示したようなクランク状の溝１３が左右を一対として形成されている（図１には、一方の溝１３のみ示している）。この溝１３は、シート本体１１の移動方向に延設されている。一方、シート本体１１には、Ｌ字状のフック１４ａを有するステー１４がビス１５等によって固定されている。そして、ステー１４のフック１４ａが受台１２の溝１３に係合して、シート本体１１が受台１２に摺動自在に支持されている。
【００１１】
また、このチャイルドシート１０には、図２乃至図４に示したように、シート本体１１と受台１２間に、シート本体１１を受台１２の適宜な位置に係止するための位置決め装置２０が配設されている。
この位置決め装置２０は、シート本体１１の底面に対して出没自在に設置したピン２１と、シート本体１１の底面に摺動自在に配設したカムブロック２２と、シート本体１１の前部に配設したレバー２３と、該レバー２３とカムブロック２２とを連結するリンクロッド２４等の要素から構成されており、さらに、シート本体１１の底面にはピン２１の先端を出没自在に挿通させる孔２５が貫設され、受台１２にはピン２１を選択的に嵌入させる複数個の孔２６が形成されている。
【００１２】
上記ピン２１は、コ字状に形成され、両脚部２１ａがシート本体１１の底面に立設したボス１１ａにガイドされ、中央部２１ｂがスプリング２７によって下方（ピン２１の先端がシート本体１１の底面から外部へ突出する方向）へ付勢されている（図２参照）。
上記カムブロック２２は、上面にカム面２２ａを有している。このカムブロック２２は、シート本体１１の底面に形成したスライド台１１ｂに載置され、該スライド台１１ｂに形成したスリット１１ｃに案内されて、スライド台１１ｂ上を摺動する。また、このカムブロック２２は、その後端がスプリング２８を介してシート本体１１に連係され、該カムブロック２２を後方へ付勢している。
そして、上記ピン２１は、上記カムブロック２２のカム面２２ａを跨ぐようにして配置され、ピン２１の中央部２１ｂがスプリング２７の付勢力によって、カムブロック２２のカム面２２ａに常に当接されている。
【００１３】
一方、レバー２３は、上部両側面にピン２３ａを備え、外面に把手２３ｂを備え、さらに裏面に舌片２３ｃを備えている。
このレバー２３は、図３に示したように、そのピン２３ａをシート本体１１の前部に形成した溝１１ｄに嵌合させ、舌片２３ｃをシート本体１１の前部に形成したスリット１１ｅに嵌挿させることによって、略上下方向に移動可能に設置されている。
【００１４】
このように構成されたチャイルドシート１０では、位置決め装置２０のピン２１がスプリング２７の付勢力によってシート本体１１の孔２５から外方へ突出され、その先端が受台１２の孔２６の一つに選択的に挿入され、それによってシート本体１１が適宜な傾斜でもって受台１２に位置決めされている（図３に示すロック状態）。
シート本体１１の受台１２に対する傾斜を変更する場合には、レバー２３を上方へ移動させる。すると、リンクロッド２４を介してカムブロック２２が前方へ移動され、そのカム面２２ａがピン２１を押し上げる。したがって、ピン２１の脚部２１ａの先端は、受台１２の孔２６から外れ、シート本体１１と受台１２の拘束を解除する（図４に示す非ロック状態）。
次いで、シート本体１１を受台１２に対して適宜に傾斜させ、所望の角度になったところでレバー２３を開放すると、カムブロック２２はスプリング２８の付勢力によって元の状態に復帰する。それに伴って、ピン２１はスプリング２７の付勢力によってシート本体１１の孔２５から外方へ突出しようとするが、該ピン２１の先端が受台１２の孔２６に合致するまでは、受台１２の上面に突き当たった状態に維持される。そして、その状態でシート本体１１をさらに移動させ、ピン２１の先端が受台１２の孔２６に合致すると、スプリング２７の付勢力によりピン２１の先端がその孔２６に嵌入する。したがって、シート本体１１はそこに位置決めされる。
【００１５】
なお、上記実施の形態では、本発明の要部のみを示したが、チャイルドシートの他の部分は、従来と同様の構造を備えている。
また、上記実施の形態では、本発明の一例を示したに過ぎず、本発明は、特許請求の範囲を逸脱しない範囲で、各種形態を採用できること勿論である。例えば、シート本体１１と受台１２との結合構造，カムブロック２２とシート本体１１との摺動構造，レバー２３の動作構造，ピン２１の形状等は、適宜変更が可能である。
【００１６】
【発明の効果】
以上説明したように、本発明に係るリクライニング式チャイルドシートでは、チャイルドシート本体にカムブロックを摺動自在に配設し、かつ該カムブロックのカム面にピンを係合させるとともに、カムブロックをリンクロッドを介してレバーに連係させ、該レバーを操作することによってカムブロックを摺動させ、該カムブロックのカム面によってピンを受台の孔から脱出さるようにしている。
即ち、本発明に係るリクライニング式チャイルドシートでは、レバーの操作力伝達要素がそれぞれ強固に形成できるので、レバーの操作力がピンに確実に伝達させることができ、またピンをカムによって作動させるので、ピンの動作もスムースになり、長期にわたる安定した動作が保障される。
【図面の簡単な説明】
【図１】本発明の一実施の形態に係るリクライニング式チャイルドシートにおけるシート本体と受台との結合構造を示した要部断面図である。
【図２】本発明の一実施の形態に係るリクライニング式チャイルドシートにおける位置決め装置を示した要部斜視図である。
【図３】本発明の一実施の形態に係るリクライニング式チャイルドシートにおける位置決め装置を示した要部断面図でり、ロック状態を示している。
【図４】本発明の一実施の形態に係るリクライニング式チャイルドシートにおける位置決め装置を示した要部断面図でり、非ロック状態を示している。
【図５】従来の位置決め装置を備えたチャイルドシートを示した概念的な斜視図である。
【符号の説明】
１０        チャイルドシート
１１        チャイルドシート本体
１１ａ      ボス
１１ｂ      スライド台
１１ｃ      スリット
１１ｄ      溝
１１ｅ      スリット
１２        受台
１３        溝
１４        ステー
１４ａ      フック
１５        ビス
２０        位置決め装置
２１        ピン
２１ａ      脚部
２１ｂ      中央部
２２        カムブロック
２２ａ      カム面
２３        レバー
２３ａ      ピン
２３ｂ      把手
２３ｃ      舌片
２４        リンクロッド
２５，２６        孔
２７，２８        スプリング
【図１】
0004298086.tif 000002
【図２】
0004298086.tif 000003
【図３】
0004298086.tif 000004
【図４】
0004298086.tif 000005
【図５】
0004298086.tif 000006